(57)【要約】【課題】ふとんなどの乾燥に使用されるふとん乾燥機において、コンパクトで効率的な構造とすることを可能とするを目的とする。【解決手段】本体ケース１の上面に設けた操作部３と、本体ケース１内に設けたファン４と、ヒータ部５と、こ筒形状の屈曲自在なホース７とから構成し、ファン４は、吸込口１９と、上方へ開口した吐出口２０とを有し、この吐出口２０は、操作部３の下方に位置すると共に、斜め上方へ伸びる筒形状のガイド１８を備え、このガイド１８の軸方向の延長上に開口部２２を備え、ガイド１８の先端に、ガイド１８と同軸方向にホース７を取り付けるという構成にしたことにより、本体の幅を増やすことなく、ホースを避けて上部に操作部を配置することができ、無理なく操作部を避けてホースを引き出すことができる。【選択図】図１
2014087447.tif 000002
【特許請求の範囲】
【請求項１】
吸気口と開口部とを有する箱形状の本体ケースと、この本体ケースの上面に設けた操作部と、前記本体ケース内に設けたファンと、このファンの吹き出し空気を加熱するヒータ部と、このヒータ部によって加熱された空気の送風路である筒形状の屈曲自在なホースとから構成し、前記ファンは、吸込口と、上方へ開口した吐出口とを有し、この吐出口は、前記操作部の下方に位置すると共に、斜め上方へ伸びる筒形状のガイドを備え、このガイドの軸方向の延長上に前記開口部を備え、前記ガイドの先端に、前記ホースを取り付けることを特徴としたふとん乾燥機。
【請求項２】
前記ホースの最下部側に前記ヒータをバイパスする風路を設けた請求項１記載のふとん乾燥機。
【請求項３】
前記ホースの最下部側以外に温度保護装置を設けた請求項１または２記載のふとん乾燥機。
【請求項４】
前記ホースを収納した状態で使用できるふとん乾燥機において、ホース出口を取り付けるホルダーを前記本体ケースに設けることを特徴とする請求項１から３のいずれかに記載のふとん乾燥機。
【請求項５】
前記ホースを前記ホルダーに収納した状態において、前記ホースが傾斜し、前記ホース出口が低い位置となる位置に前記ホルダーを設けた請求項４記載のふとん乾燥機。
【請求項６】
前記ヒータ周囲にバイパス風路を設けることを特徴とする請求項１記載のふとん乾燥機。
【発明の詳細な説明】
【技術分野】
【０００１】
本発明は、布団や衣類などの乾燥に使用されるふとん乾燥機に関するものである。
【背景技術】
【０００２】
従来、この種のふとん乾燥機は、吸気口と開口部とを有する箱形状の本体ケースと、この本体ケースの前面に設けた操作部と、前記本体ケース内に設けたファンと、このファンの吹き出し空気を加熱するヒータ部と、このヒータ部によって加熱された空気の送風路である筒形状の屈曲自在なホースとから構成したものが知られている。
【先行技術文献】
【特許文献】
【０００３】
【特許文献１】特開２０００−２７９６９７号公報
【発明の概要】
【発明が解決しようとする課題】
【０００４】
このような従来のふとん乾燥機において、上部に操作部を配置する場合には、ホースを上に取り出しにくくなり、それを避けるためにホース位置を操作部からずらすと本体の幅が大きくなるという課題を有していた。
【課題を解決するための手段】
【０００５】
そして、この目的を達成するために、本発明は、吸気口と開口部とを有する箱形状の本体ケースと、この本体ケースの上面に設けた操作部と、前記本体ケース内に設けたファンと、このファンの吹き出し空気を加熱するヒータ部と、このヒータ部によって加熱された空気の送風路である筒形状の屈曲自在なホースとから構成し、前記ファンは、吸込口と、上方へ開口した吐出口とを有し、この吐出口は、前記操作部の下方に位置すると共に、斜め上方へ伸びる筒形状のガイドを備え、このガイドの軸方向の延長上に前記開口部を備え、前記ガイドの先端に、前記ホースを取り付けることを特徴としたものであり、これにより所期の目的を達成するものである。
【発明の効果】
【０００６】
本発明によれば、吸気口と開口部とを有する箱形状の本体ケースと、この本体ケースの上面に設けた操作部と、前記本体ケース内に設けたファンと、このファンの吹き出し空気を加熱するヒータ部と、このヒータ部によって加熱された空気の送風路である筒形状の屈曲自在なホースとから構成し、前記ファンは、吸込口と、上方へ開口した吐出口とを有し、この吐出口は、前記操作部の下方に位置すると共に、斜め上方へ伸びる筒形状のガイドを備え、このガイドの軸方向の延長上に前記開口部を備え、前記ガイドの先端に、前記ホースを取り付けるという構成にしたものであり、本体の幅を小さくできるものである。
【０００７】
すなわち、ホースを避けて上部に操作部を配置することができるので、無理なく操作部を避けてホースを引き出すことができ、結果として、本体の幅を小さくできるのである。
【図面の簡単な説明】
【０００８】
【図１】本発明の実施の形態１のふとん乾燥機の構成を示す側面図
【図２】同正面図
【図３】本発明の実施の形態２のふとん乾燥機の構成を示す正面図
【図４】同ヒータの斜視図
【発明を実施するための形態】
【０００９】
本発明の請求項１記載のふとん乾燥機は、吸気口と開口部とを有する箱形状の本体ケースと、この本体ケースの上面に設けた操作部と、前記本体ケース内に設けたファンと、このファンの吹き出し空気を加熱するヒータ部と、このヒータ部によって加熱された空気の送風路である筒形状の屈曲自在なホースとから構成し、前記ファンは、吸込口と、上方へ開口した吐出口とを有し、この吐出口は、前記操作部の下方に位置すると共に、斜め上方へ伸びる筒形状のガイドを備え、このガイドの軸方向の延長上に前記開口部を備え、前記ガイドの先端に、前記ホースを取り付けるという構成を有する。これにより、ホースを避けて上部に操作部を配置することができるので、無理なく操作部を避けてホースを引き出すことができ、結果として、本体の幅を小さくできるのである。
【００１０】
また、本発明の請求項２記載のふとん乾燥機は、斜めに取り付けたホースの最下部側にヒータをバイパスする風路を設ける。これにより、バイパス側は空気の温度上昇が小さいのでホースまでの距離が短くすることができる。また、バイパス側以外は距離を確保しホースの異常温度上昇を抑制することとなるので、ホースの温度上昇を抑えつつ、コンパクトで効率的な構造とすることができるまた、ホースから水などの液体が浸入した場合にバイバス側に流れ、ヒータ部が濡れにくくすることができるという効果を奏する。
【００１１】
また、本発明の請求項３記載のふとん乾燥機は、斜めに取り付けたホースの最下部側以外に温度保護装置を設けるという構成を有する。これにより、バイパス側以外は距離を確保しホースの異常温度上昇を抑制するとともに、温度保護装置を設置するスペースを確保できることとなるので、温度上昇を抑えつつ、異常時に温度上昇し易い場所に温度保護装置を設置することができ、コンパクトで効率的な構造とすることができるという効果を奏する。
【００１２】
また、本発明の請求項４記載のふとん乾燥機は、ホース出口を取り付けるホルダーを本体に設けるという構成を有する。これにより、ホースの両端の位置が固定されるので、安定した収納ができることとなるので、収納方法のバラツキによって蓋が閉まらないようなことが軽減できるという効果を奏する。
【００１３】
また、本発明の請求項５記載のふとん乾燥機は、ホースをホルダーに収納した状態において、ホースが傾斜し、ホース出口が低い位置となる位置にホルダーを設けるという構成を有する。これにより、ホースをホルダーに収納した状態において、ホースの出口から水などの液体が浸入した場合、ホースに傾斜があるのでホースの入口への液体の進入を防ぐこととなるので、ヒータなど内部部品が濡れることを防止することができるという効果を奏する。
【００１４】
また、本発明の請求項６記載のふとん乾燥機は、ヒータ周囲にバイパス風路を設けるという構成を有する。これにより、ヒータの風下の部品表面はヒータをバイパスした空気が流れるため温度上昇を抑えることとなるので、ヒータの風下のホースの温度上昇を抑えることで、ヒータ部との距離を縮め、コンパクトで効率的な構造とすることができるという効果を奏する。
【００１５】
以下、本発明の実施の形態について図面を参照しながら説明する。
【００１６】
（実施の形態１）
図１および図２に示すように、本発明のふとん乾燥機の外観は本体ケース１と蓋２と操作部３からなり、内部はファン４とヒータ部５とガイド６とホース７から構成されている。
【００１７】
本体ケース１は、直方体箱形状で、背面には、吸気口２１を設け、天面の前面側、および前面の上方側には、開口部２２を備えている。この開口部２２には、蓋２を備え、この蓋２は、断面形状がＬ字形状で、下端部を中心に回動自在に本体ケース１に設けられている。
【００１８】
操作部３は、本体ケース１も天面の背面側、つまり蓋２より背面側の位置するものである。ファン４は、本体ケース１内の下部で背面側に位置し、本体ケース１の天面側で、一方側側面寄りに吐出口２０を備え、本体ケース１の背面側に吸込口１９を有している。この吸込口１９に対向して、本体ケース１には、吸気口２１を備えている。吐出口２０は、操作部３の下方に位置する。
【００１９】
ファン４によって、本体ケース１外の空気を、本体ケース１の吸気口２１を介して、ファン４の吸込口１９から吸込み、吐出口２０から吹き出すものである。
【００２０】
吐出口２０には、ファン４の吹き出し空気を加熱するヒータ部５と、斜め上方へ伸びる筒形状のガイド６とを備えている。ヒータ部５は、ヒータ風路８とバイパス風路９と、ヒータ風路８内のヒータ１０からなる。ヒータ風路８は、本体ケース１における背面側に位置する。
【００２１】
ヒータ部５の風下側には、ガイド６を備えている。このガイド６は、筒形状で、本体ケース１における背面側から前面側へ傾斜しながら吐出口２０から斜め上方へ伸びている。このガイド６の軸方向の延長上に開口部２２を備えている。このガイド６内で、ヒータ風路８側、つまり本体ケース１における背面側に温度保護装置１１が設けられている。すなわち、温度保護装置１１は、ガイド６内で、ヒータ１０の上方に位置すると共に、本体ケース１における背面側から前面側へ傾斜している傾斜面に位置するものである。
【００２２】
ガイド６の先端には、ヒータ部によって加熱された空気の送風路である筒形状の屈曲自在なホース７を備えている。本体ケース１内にホース７が収納された状態では、このホース７は、まず、ガイド６からガイド６と同軸方向である斜め上方、つまり本体ケース１における背面側から前面側へ傾斜しながら上方へ伸び、次に、ほぼ９０度曲がり、本体ケース１における他方側側面へ伸びている。ホース７の先端には、リング形状のホース出口部１２を備えている。ホース出口部１２は本体ケースに設けられたホルダー１３に収納される。
【００２３】
このような構成によれば、ホース７を斜めに取り付けることにより、ホース７をコンパクトに収納できると共に、ホース７を避けて上部に操作部３を配置することができ、無理なく操作部３を避けてホース７を引き出すことができるので、単に操作部３とホース７の分の本体の幅が必要となるのでなく、操作部３とホース７をオーバーラップさせて配置することができるため本体の幅をコンパクトでかつ、無理なく操作部３を避けてホース７を引き出すことができる。すなわち、ホース７を避けて上部に操作部３を配置することができたので、無理なく操作部を避けてホース７を引き出すことができ、結果として、本体ケース１の幅、つまり本体ケース１における前後方向の寸法を小さくできるのである。
【００２４】
また、斜めに取り付けたホース７の最下部側にヒータ１０をバイパスするバイパス風路９を設けている。これにより、ホース７の耐熱性はガイド６より低いが、バイパス風路９側は空気の温度上昇が小さいのでホース７までの距離が短くすることができる。また、バイパス風路９側以外は距離を確保しホース７の異常温度上昇を抑制することとなるので、ホース７の温度上昇を抑えつつ、コンパクトで効率的な構造とすることができるまた、ホース７から水などの液体が浸入した場合にバイパス風路９側に流れ、ヒータ風路８を濡れにくくすることができる。
【００２５】
また、斜めに取り付けたホース７の最下部側以外に温度保護装置１１を設けている。これにより、ホース７を斜めに取り付けることによるガイド６の広い方のスペースを温度保護装置を設置するスペースに利用できるとともに、温度保護装置１１はヒータ風路８側に設置されることとなるので、ヒータ１０による異常な温度上昇を検知しやすい配置となる。したがって、温度上昇を抑えつつ、異常時に温度上昇し易い場所に温度保護装置１１を設置することができ、コンパクトで効率的な構造とすることができる。
【００２６】
また、ホース７先端の開口端であるホース出口部１２を取り付けるホルダー１３を本体ケース１に設けている。これにより、ホース７の両端の位置が固定されるので、安定した収納ができることとなるので、収納方法のバラツキによって蓋が閉まらないようなことが軽減できる。
【００２７】
また、ホース出口部１２をホルダー１３に収納した状態において、ホース７が傾斜し、ホース出口部１２が低い位置となる位置にホルダー１３を設けている。これにより、ホース出口部１２をホルダー１３に収納した状態において、ホース出口部１２から水などの液体が浸入した場合、ホース７に傾斜があるのでホース７の入口への液体の進入を防ぐこととなるので、ヒータ１０など内部部品が濡れることを防止することができる。
【００２８】
（実施の形態２）
図３と図４において、図１および図２と同様の構成要素については同一の符号を付し、その詳細な説明は省略する。
【００２９】
図３はおよび図４は本発明の構成を示し、ヒータ部１４は、中央にヒータ１５を通過するヒータ風路１７設け、このヒータ風路１７の周囲をヒータ１５をバイパスするバイパス風路１６を備えた構成し、ヒータ部１４を通過した空気はガイド１８を介してホース７をとおり室内に送られる。
【００３０】
上記構成において、ヒータ部１４の風下のガイド１８とホース７の表面はヒータ１５をバイパスした空気が流れるため温度上昇を抑えることとなるので、ヒータ部１４の風下のホース７の温度上昇を抑えることで、ヒータ部１４とホース７の距離を縮め、コンパクトで効率的な構造とすることができる。
【産業上の利用可能性】
【００３１】
本発明にかかるふとん乾燥機は、コンパクトで効率的な構造とすることを可能とするものであるので、布団や衣類などの乾燥に使用されるふとん乾燥機等として有用である。
【符号の説明】
【００３２】
１  本体ケース
２  蓋
３  操作部
４  ファン
５  ヒータ部
６  ガイド
７  ホース
８  ヒータ風路
９  バイパス風路
１０  ヒータ
１１  温度保護装置
１２  ホース出口部
１３  ホルダー
１４  ヒータ部
１５  ヒータ
１６  バイパス風路
１７  ヒータ風路
１８  ガイド
１９  吸込口
２０  吐出口
２１  吸気口
２２  開口部
【図１】
2014087447.tif 000003
【図２】
2014087447.tif 000004
【図３】
2014087447.tif 000005
【図４】
2014087447.tif 000006